(57)【特許請求の範囲】
【請求項１】
給水管と、
この給水管から導かれる水と熱交換して湯に換える水熱交換器を備え、夜間等のタンク貯溜運転時間帯には比較的高温の湯を作り出湯し、日中等の給湯使用時には比較的低温の湯を作り出湯するヒートポンプ回路と、
夜間等のタンク貯溜運転時間帯に、上記ヒートポンプ回路から出湯される比較的高温の湯を貯溜する第１の貯湯タンクと、
夜間等のタンク貯溜運転時間帯以外の時間帯に、上記ヒートポンプ回路から出湯される比較的低温の湯を貯溜する第２の貯湯タンクと、
上記第２の貯湯タンクから出湯される比較的低温の湯と、上記第１の貯湯タンクから出湯される比較的高温の湯とを混合する混合手段と、
上記ヒートポンプ回路から出湯される比較的高温の湯を、上記第１の貯湯タンクへ導く出湯管と、
上記ヒートポンプ回路から出湯される比較的低温の湯を、上記第２の貯湯タンクへ導く出湯管と、
上記ヒートポンプ回路から出湯される比較的高温の湯を上記第１の貯湯タンクへ導く上記出湯管と、ヒートポンプ回路から出湯される比較的低温の湯を上記第２の貯湯タンクへ導く上記出湯管とを切換える切換え手段と、
を具備することを特徴とするヒートポンプ式給湯機。
【発明の詳細な説明】
【技術分野】
【０００１】
本発明は、ヒートポンプ式の冷凍サイクルを用いて湯を作り給湯をなすヒートポンプ式給湯機に関する。
【背景技術】
【０００２】
業務用ばかりでなく一般家庭用としても、給湯機が多用される。これは、夜間の廉価な深夜電力料金が適用される時間帯に比較的高温の湯を作って貯湯タンクに貯留し、日中等の給湯使用時には、貯湯タンクから比較的高温の湯を取出すとともに、給水管から導かれる水と混合させ、所望する温度にした状態で厨房や浴室への給湯をなす。  
この種の給湯機として、たとえば［特許文献１］には、給水管と出湯管との間に第１、第２の貯湯タンクを設けるとともに、これら貯湯タンク内の温水を加熱するヒートポンプ回路である加熱手段を備えた、貯湯式給湯装置が開示されている。第１、第２の貯湯タンクにおける出湯側の合流点あるいは給水側の分岐点に、これら貯湯タンクからの出湯比率を調整可能な混合弁と、各貯湯タンクに対する温水の導通路を設定する熱交循環回路を備えている。
【特許文献１】特開２００４−１０１１３４号公報
【発明の開示】
【発明が解決しようとする課題】
【０００３】
ところで、［特許文献１］で説明されているような大規模構造の給湯装置は別として、上述したような一般家庭用におけるヒートポンプ式給湯機での具体的な性能数値をあげ、その特徴を説明する。  
たとえば、外気温が１６℃で、給水管からヒートポンプ式給湯機へ導かれる水の温度が１７℃の場合を想定する。この水を給湯機のヒートポンプ回路に備えた水熱交換器で熱交換（加熱）し、高温６５℃の湯にして貯湯タンクへ貯溜する。日中等、必要に応じて給湯栓を開放することで、貯湯タンクから６５℃の湯を取出すとともに１７℃の水と混合させ、所望する温度４３℃にして給湯する。１日に給湯する総量を５００Ｌ（リットル）とし、放熱ロスは０（ゼロ）であることを前提条件とする。
【０００４】
すなわち、給湯機の給湯能力が５００Ｌ／日であるので、比較的高温の湯を貯溜するタンクの容量は、少なくとも２７１Ｌあればよく、この貯湯タンク容量に対して水は２２９Ｌ［５００Ｌ−２７１Ｌ］だけ必要となる。  
加熱能力が４．５ＫＷのヒートポンプ装置を用いて、１７℃の水を加熱し６５℃の湯に換えるのに必要な消費電力は、１．１ＫＷであることが計測されている。ヒートポンプ装置における成績係数：ＣＯＰは、［加熱能力／消費電力］で求められるから、上記数値を当て嵌めると、［加熱能力：４．５ＫＷ／消費電力：１．１ＫＷ］として、ＣＯＰは４．０９となる。
【０００５】
そして、加熱能力４．５ＫＷの装置において１時間当りの加熱量（１７℃の水を６５℃の湯に換えて出湯する量）は８０Ｌ／Ｈであり、２７１Ｌの貯湯タンクに湯を満杯にするには、３．４Ｈ（時間）［２７１Ｌ÷８０Ｌ／Ｈ］必要となる。先に述べたように、消費電力が１．１ＫＷであり、貯湯タンクを満杯に出湯するのに３．４Ｈ必要であるから、消費電力量は、３．７４ＫＷＨ［１．１ＫＷ×３．４Ｈ］となる。  
すなわち、従来の一般的家庭用としてのヒートポンプ式給湯機では、ＣＯＰが４．０９であり、消費電力量が３．７４ＫＷＨもかかるので、効率が低くてランニングコストが嵩むこととなってしまう。  
そこで、このような比較的高温の湯を貯留しておき給湯時に水を混合して所望する温度にする給湯する方式とは別に、ガス瞬間湯沸し機的に、直接、所望する温度（４３℃）の湯を作って給湯するヒートポンプ方式を採用することの考慮がなされている。
【０００６】
この場合も、ヒートポンプ式給湯機の加熱能力を４．５ＫＷとすると、１時間当りの加熱量（１７℃の水を４３℃の湯に換えて出湯する量）は１４８Ｌ／Ｈであり、１分当りに換算すると２．５Ｌ／ｍｉｎとなる。これに対して一般的な給湯機としての加熱量は、６〜１０Ｌ／ｍｉｎは必要であり、上述した給湯機では数分の一の加熱能力しかなく、瞬時流量が不足して実際の使用には合致しない。  
直接、所望する温度の湯を作って給湯するためには、少なくとも２３ＫＷの加熱能力が必要であり、先に説明したものとは約５倍の大能力のヒートポンプ式給湯機になってしまう。給湯機自体の重量が大となるとともに、販売価格が高くなり、運転時に大電流が流れて、ＯＮ／ＯＦＦ切換えのタイミングが頻繁になる。実効率が悪いばかりでなく、電流変動が大であるなどの不具合が多い。
【０００７】
本発明は上記事情に着目してなされたものであり、その目的とするところは、１日の使用効率を増大してヒートポンプ特性の向上化を得られ、消費電力量の低減によるランニングコストの低減化を得られるヒートポンプ式給湯機を提供しようとするものである。
【課題を解決するための手段】
【０００８】
上記目的を達成するため本発明のヒートポンプ式給湯機は、ヒートポンプ回路に給水管から導かれる水と熱交換して湯に換える水熱交換器を備え、夜間等のタンク貯溜運転時間帯には比較的高温の湯を作り出湯し、日中等の給湯使用時には比較的低温の湯を作り出湯する。夜間等のタンク貯溜運転時間帯に、ヒートポンプ回路から出湯される比較的高温の湯を第１の貯湯タンクに貯溜し、夜間等のタンク貯溜運転時間帯以外の時間帯に、ヒートポンプ回路から出湯される比較的低温の湯を第２の貯湯タンクに貯溜する。日中等の給湯使用時に、混合手段が第２の貯湯タンクから出湯される比較的低温の湯と第１の貯湯タンクから出湯される比較的高温の湯とを混合する。さらに、ヒートポンプ回路から出湯される比較的高温の湯を第１の貯湯タンクへ導く出湯管と、ヒートポンプ回路から出湯される比較的低温の湯を第２の貯湯タンクへ導く出湯管を備え、切換え手段がこれら出湯管を切換える。
【発明の効果】
【００１０】
本発明によれば、１日の使用効率の増大化および消費電力量の低減化を得られるという効果を奏する。
【発明を実施するための最良の形態】
【００１１】
以下、図面を参照しながら、本発明における実施の形態について詳細に説明する。  
図１は、本発明における第１の実施の形態であるヒートポンプ式給湯機の概略構成図である。  
このヒートポンプ式給湯機は、室外ユニット１と、タンクユニット１０とから構成され、得られた湯は厨房や浴室、洗面所等に備えられる給湯栓、湯水混合栓、シャワー等の給湯部Ｋへ給湯されるようになっている。  
上記室外ユニット１は、ユニット本体２内に、圧縮機３と、利用側熱交換器である水熱交換器４と、減圧機構５と、熱源側熱交換器である空気熱交換器６とが収容される。これら圧縮機３をはじめとする構成部品は順次、冷媒管Ｐを介して連通され、ヒートポンプ回路Ｈが構成される。
【００１２】
上記圧縮機３は、冷媒を吸込んで圧縮し、高温高圧にガス化して上記水熱交換器４へ吐出する。この水熱交換器４は、圧縮された冷媒ガスを導くガス熱交換部４ａと、図示しない給水源から上記タンクユニット１０を介して水を導く水熱交換部４ｂとを備えていて、互いの熱交換部４ａ，４ｂにおいて冷媒ガスと水とを熱交換する。  
上記水熱交換器４のガス熱交換部４ａでガス冷媒は凝縮液化して凝縮熱を放出し、水熱交換部４ｂで水は凝縮熱を吸収して温度上昇する。上記減圧機構５は、たとえば電子膨張弁であり、導かれた冷媒を断熱膨張する。上記空気熱交換器６に対向して、空気熱交換器６へ送風する室外送風機８が配置され、空気熱交換器６において送風された空気と冷媒とが熱交換する。冷媒は蒸発し、圧縮機３に吸込まれて上述のサイクルを循環する。
【００１３】
上記水熱交換器４における水熱交換部４ｂの一方の端部には給水管Ｐａが接続されていて、この給水管Ｐａはポンプ９を介してユニット本体２端部に設けられる接続部ａに連通する。水熱交換部４ｂにおける他方の端部には出湯管Ｐｂが接続されていて、ユニット本体２端部に設けられる接続部ｂに連通する。  
上記タンクユニット１０は、ユニット本体１２内に、第１の貯湯タンク１３および第２の貯湯タンク１４が収容されるとともに、後述する配管類が収容される。  
すなわち、ユニット本体１２に設けられる接続部ｃには、図示しない給水源から延出される給水管Ｐｃが接続される。この給水管Ｐｃは、ユニット本体１２内において給水弁１５を介して他方の端部に設けられる接続部ｄに連通する。この接続部ｄと上記室外ユニット１における給水管Ｐａの接続部ａとは、互いに給水連通管Ｐｄを介して連通する。
【００１４】
したがって、給水源と水熱交換器４の水熱交換部４ｂとは給水管Ｐａ，Ｐｃを介して連通しており、これら給水管Ｐａ，Ｐｃの中途部に上記ポンプ９と給水弁１５が設けられることになる。さらに、給水管Ｐｃの給水弁１５と接続部ｄとの間には分岐管Ｐｅが設けられていて、この分岐管Ｐｅは上記第２の貯湯タンク１４の底部に連通する。第２の貯湯タンク１４の上端部と、第１の貯湯タンク１３の底部とは互いに、タンク連通管Ｐｆを介して連通する。  
水熱交換部４ｂの出湯管Ｐｂと接続する接続部ｂと、タンクユニット１０のユニット本体１２に設けられる接続部ｅとは、出湯連通管Ｐｇを介して連通する。ユニット本体１２内において、上記出湯連通管Ｐｇに接続部ｅを介して出湯管Ｐｈが接続され、この出湯管Ｐｈは切換え手段である三方切換え弁１６を介して上記第１の貯湯タンク１３の上端部に連通する。
【００１５】
さらに、第１の貯湯タンク１３の上端部には、給湯管Ｐｉが接続されている。上記給湯管Ｐｉの中途部には混合弁１７が設けられ、この混合弁１７を介してユニット本体１２端部に設けられる接続部ｆに連通する。上記混合弁１７は３つのポートを備えていて、残りのポートには出湯管Ｐｊが接続される。混合弁１７と上記三方切換え弁１６の残りのポートとは、互いに上記出湯管Ｐｊを介して連通する。また、混合弁１７に接続される給湯管Ｐｉは接続部ｆを介して上記給湯部Ｋに連通する。  
上記混合弁１７は、電動ミキシング弁であって、第１の貯湯タンク１３から給湯管Ｐｉを介して導かれる湯と、水熱交換器４から三方切換え弁１６を介して出湯管Ｐｊに導かれる湯とを混合し、リモコン（図示しない）等で設定された後述する所望する温度の湯にして給湯することができる。
【００１６】
このようにして構成されるヒートポンプ式給湯機であり、室外ユニット１に備えられるヒートポンプ回路Ｈに対して図示しない制御部は、廉価な深夜電力料金が適用される時間帯（夜間のタンク貯溜運転時間帯）と、日中等に給湯部Ｋにおいて実際に給湯操作（給湯使用時）が行われる際とでは、互いに異なる温度の湯を作り出湯するよう制御する。  
具体的には、給水源から給水管Ｐｃを介して水熱交換器４に導かれる水の温度が1７℃であるとき、深夜電力料金が適用される夜間の時間帯は、高温６５℃の湯にして出湯するよう制御する。そして、日中等に給湯部Ｋにおいて実際に給湯操作が行われる際には、低温３５℃の湯にして出湯するよう制御する。  
上記制御部は、タンクユニット１０における三方切換え弁１６に対してもまた、廉価な深夜電力料金が適用される時間帯と、日中等に給湯部Ｋにおいて実際に給湯操作が行われる際とでは、出湯方向を切換えるよう制御する。
【００１７】
具体的には、深夜電力料金が適用される夜間の時間帯は、水熱交換器４から出湯される比較的高温の湯を三方切換え弁１６から出湯管Ｐｈを介して第１の貯湯タンク１３へ導き、このタンク１３内に貯溜する。このとき、給水弁１５は開放されていて、給水管Ｐｃを介して水熱交換器４に給水するので、熱交換して得られた比較的高温の湯は順次、第１の貯湯タンク１３に貯溜される。  
同時に、給水弁１５に導かれる水の一部は分岐管Ｐｅから第２の貯湯タンク１４底部に導入される。水が第２の貯湯タンク１４において満杯になれば、さらにタンク連通管Ｐｆを介して第１の貯湯タンク１３の底部から導入される。ここでも水はタンクの底部から上部に徐々に上昇し、ついには第１の貯湯タンク１３を満杯にする。
【００１８】
しかしながら、引き続き水熱交換器４で得られた比較的高温の湯が三方切換え弁１６を介して第１の貯湯タンク１３に導入されるので、比較的高温の湯と低温の水との互いの比重の関係から、比較的高温の湯が第１の貯湯タンク１３上部にある水を押し下げて、水の上に溜まる。水熱交換器４から比較的高温の湯が第１の貯湯タンク１３に出湯されている間は、第１の貯湯タンク１３の上部に溜まる湯の量が増え、相対的に水の量は減る。  
第１の貯湯タンク１３の底部から押出された水は、タンク連通管Ｐｆを介して第２の貯湯タンク１４上部に押し戻される。第２の貯湯タンク１４においては、第１の貯湯タンク１３から導入された水の量だけ、底部から水が出て水熱交換器４へ導かれる。比較的高温の湯が第１の貯湯タンク１３を満杯にしたあと、タンク連通管Ｐｆ内が比較的高温の湯で充満し、さらに第２の貯湯タンク１４にある水を押出して上部から充満していく。そして、ついには第２の貯湯タンク１４内においても比較的高温の湯で満杯になる。
【００１９】
第１の貯湯タンク１３と第２の貯湯タンク１４には、図示しない温度センサが取付けられていて、各タンク１３，１４の温度を検知して上記制御部へ送る。双方のタンク１３，１４が所定の温度になったとき、温度センサの検知信号を受けた制御部は、深夜電力料金が適用される時間帯であっても、給水弁１５を閉成するとともにヒートポンプ回路Ｈの圧縮機３の運転を停止する。  
この状態で、日中等において実際に給湯部Ｋで給湯操作が行われるのを待機する。給湯部Ｋで給湯操作が行われる給湯使用時は、上記制御部はヒートポンプ回路Ｈの圧縮機３の運転を再開し、給水弁１５を開放するとともに、三方切換え弁１６を切換え、混合弁１７を開放する。
【００２０】
上述したように、このときは水熱交換器４から比較的低温の湯が出湯される。比較的低温の湯は、三方切換え弁１６から第２、第１の貯湯タンク１４，１３をバイパスし、出湯管Ｐｊを介して混合弁１７に導かれる。一方、混合弁１７の開放にともなって第１の貯湯タンク１３に貯溜されている比較的高温の湯が導出され、混合弁１７において比較的低温の湯と比較的高温の湯とが混合しする。  
上記混合弁１７から導出された状態で、所望する温度（４３℃）の湯に換っていて、この所望する温度の湯は給湯管Ｐｉへ導かれ、さらに開放操作された給湯部Ｋから給湯される。以上の作用は、給湯部Ｋに対する開放操作と同時に行われ、ほとんどタイムラグがない。
【００２１】
上記給水弁１５は継続して開放されていて、第１の貯湯タンク１３から出湯された量と同じ量が、給水管Ｐｃから分岐管Ｐｅを介して第２の貯湯タンク１４に導かれる。そして、第２の貯湯タンク１４に導入された水と量と同じ水の量が第２の貯湯タンク１４から出て、タンク連通管Ｐｆから第１の貯湯タンク１３に導かれる。  
上記第１の貯湯タンク１３および第２の貯湯タンク１４に貯溜される比較的高温の湯の貯溜総量と同じ量が給湯部Ｋから給湯されるまで、給湯が可能である。換言すれば、第１の貯湯タンク１３と第２の貯湯タンク１４に取付けられた温度センサが高温の検知信号を制御部へ送っている間は給湯が可能である。
【００２２】
つぎに、上述したヒートポンプ式給湯機の作用を、具体的な数値をもって説明する。  
この装置では、ヒートポンプ回路Ｈで６５℃の湯を作って貯湯し、給湯時には３５℃の出湯しながら６５℃の湯と混合させ、所望する温度である４３℃の湯にして給湯する。１日当りの給湯量を５００Ｌとすると、６５℃の湯を貯湯するのに必要な貯湯タンク１３，１４の合計貯溜量は１３３Ｌあればよく、したがって給湯操作に応じて３５℃の湯を３６７Ｌ［５００Ｌ−１３３Ｌ］だけ出湯すればよい。  
一方、ヒートポンプ式給湯機の仕様として、６５℃の湯を作るのに必要な加熱能力は従来と同様、４．５ＫＷあればよく、消費電力も従来と同様１．１ＫＷであるから、ＣＯＰも４．０９になる。同じ給湯機を用いるので、１時間あたりの加熱量は８０Ｌ／Ｈであり、貯湯タンク１３，１４の合計容量が１３３Ｌであるので、比較的高温の湯を作って貯湯タンク１３，１４に溜める時間は１．７Ｈ［１３３Ｌ÷８０Ｌ／Ｈ］に短縮される。したがって、消費電力量は、１．８７ＫＷＨ［消費電力：１．１ＫＷ×１３３Ｌ作る時間：１．７Ｈ］となる。
【００２３】
上記ヒートポンプ回路Ｈは、給湯使用時に３５℃（低温）の湯を作るが、圧縮機３をインバータ制御するので、このときは加熱能力を６ＫＷに上げられる。上記加熱能力に対応して消費電力は、１．０ＫＷに下げられ、上記加熱能力と消費電力の比から、ＣＯＰは６．００に上がる。  
１時間当りの加熱量は２８７Ｌ／Ｈを計測でき、給湯時に必要な総量３６７Ｌを作るのに必要な時間は１．３Ｈ［３６７Ｌ÷２８７Ｌ／Ｈ］となり、所望する温度の湯を作るための消費電力量は、１．３ＫＷＨ［１．０ＫＷ×１．３Ｈ］となる。  
以上述べたように、６５℃の湯を１３３Ｌ貯湯する際のＣＯＰ（４．０９）および３５℃の湯を３６７Ｌ出湯する際のＣＯＰ（６．００）と、６５℃の湯を１３３Ｌ貯湯する際の消費電力量１．８７ＫＷＨおよび３５℃の湯を３６７Ｌ出湯する際の消費電力量１．３ＫＷＨから、本ヒートポンプ式給湯機のＣＯＰは、以下の式で求められる。
【００２４】
（４３−１７）℃×５００Ｌ÷８６０Ｋｃａｌ＝１５．１ＫＷ  
１５．１ＫＷ÷（１．８７＋１．３）ＫＷＨ＝４．７６  
すなわち、本ヒートポンプ式給湯機のＣＯＰは４．７６であり、先に背景技術の欄で説明した従来のヒートポンプ式給湯機のＣＯＰが４．０９であるのと比較して、本給湯機では１日当りの使用効率が約１６％も向上することになる。  
そして、本ヒートポンプ式給湯機の消費電力量が３．１７ＫＷＨであり、先に説明した従来のヒートポンプ式給湯機の消費電力量３．７４ＫＷＨであるのと比較して、本給湯機では消費電力量を約１５％低減化できる。これらの結果から、本発明のヒートポンプ式給湯機を採用することにより、ランニングコストの低減化を図れて有利な条件での使用が可能となる。
【００２５】
また、背景技術の欄で説明した従来の給湯方式、すなわち、ガス瞬間湯沸し機的に４３℃の湯を作って直接給湯する方式と比較して、本発明の給湯機によれば同一のヒートポンプ回路Ｈで６５℃と３５℃の湯に作り分けして用いるために、小能力の圧縮機３を備えればよく、冷凍サイクルの小型・軽量化を得られ、低価格で提供できる。  
つぎに、図２にもとづいて、本発明における第２の実施の形態でのヒートポンプ式給湯機について説明する。  
ここでのヒートポンプ式給湯機は、室外ユニット１とタンクユニット１０Ａから構成されていて、得られた湯は厨房や浴室、洗面所等に備えられる給湯部Ｋへ給湯されるようになっていることは同様である。上記室外ユニット１においては、先に説明した実施の形態と全く同一構成であるところから、同部品に同番号を付して新たな説明は省略する。
【００２６】
上記タンクユニット１０Ａは、第１の貯湯タンク１３と第２の貯湯タンク１４を備えていることは変りがないが、配管構成については先に説明した実施の形態と差がある。すなわち、図示しない給水源と連通する給水管Ｐｃはユニット本体１２内において中途部に給水弁１５が設けられるとともに、２本の分岐管Ｐｅが分岐され、それぞれ第１の貯湯タンク１３の底部もしくは、第２の貯湯タンク１４の底部に連通する。  
水熱交換器４の水熱交換部４ｂに連通する出湯管Ｐｈの中途部に三方切換え弁１６が設けられ、この三方切換え弁１６から第１の貯湯タンク１３の上端部および第２の貯湯タンク１４の上端部に、出湯管Ｐｈを介して連通する。第１の貯湯タンク１３と第２の貯湯タンク１４における上端部に給湯管Ｐｉが設けられていて、これら給湯管Ｐｉは混合手段である混合弁１７に接続される。上記混合弁１７は、先に実施の形態で説明したものと全く同一のものであり、残りのポートに接続される給湯管Ｐｉを介して給湯部Ｋに連通される。
【００２７】
このようにして構成されるヒートポンプ式給湯機であって、夜間の深夜電力料金が適用される時間帯（夜間のタンク貯溜運転時間帯）に、ヒートポンプ回路Ｈの水熱交換器４は高温（６５℃）に加熱した湯を作り出湯する。三方切換え弁１６は、比較的高温の湯を第１の貯湯タンク１３に導くよう切換え制御される。廉価な深夜電力料金であるから、長時間に亘って比較的高温の湯を作ってもランニングコストに与える影響は少なくてすむ。第１の貯湯タンク１３が比較的高温の湯で満杯になったら、制御部はヒートポンプ回路Ｈの圧縮機３の運転を停止するとともに給水弁１５を閉成して待機する。  
深夜電力料金が適用される時間帯が終了して、通常の電力料金が適用される時間帯（夜間等のタンク貯溜運転時間帯以外の時間帯）となると、制御部はヒートポンプ回路Ｈにおける圧縮機３の能力を下げるとともに三方切換え弁１６を第２の貯湯タンク１４側へ切換える制御をなす。
【００２８】
したがって、比較的低温（３５℃）の湯が三方切換え弁１６を介して第２の貯湯タンク１４へ導かれ貯溜される。第２の貯湯タンク１４が比較的低温の湯で満杯になったら、制御部はヒートポンプ回路Ｈの圧縮機３の運転を停止するとともに給水弁１５を閉成して待機する。  
日中等の給湯部Ｋに対する給湯操作（給湯使用時）にもとづいて、制御部は混合弁１７および給水弁１５を開放する。第１の貯湯タンク１３に貯溜される比較的高温の湯と、第２の貯湯タンク１４に貯溜される比較的低温の湯が同時に同量ずつ出湯され、混合弁１７において混合する。混合弁１７から出湯される湯は所望する温度（４３℃）になって給湯管Ｐｉに導かれ、給湯部Ｋから給湯される。
【００２９】
すなわち、第１の実施の形態におけるヒートポンプ式給湯機では、比較的高温の湯を作って貯湯タンク１３，１４に貯溜し、給湯部Ｋに対する給湯操作の間、比較的低温の湯を作って出湯するとともに比較的高温の湯と混合して給湯するようにしたが、これに限定されるものではない。  
上記第２の実施の形態では、比較的高温の湯を作って第１の貯湯タンク１３に貯溜し、比較的低温の湯を貯溜する第２の貯湯タンク１４を備え、給湯時に互いの貯湯タンク１３，１４から湯を同時に取出して混合し給湯する。  
したがって、ヒートポンプ回路Ｈに備えられる圧縮機３のオン―オフ頻度の減少化を図ることができ、給湯時におけるヒートポンプ回路Ｈの電流値が低くなり、消費電力量の低減に役立つ。
【００３０】
なお、以上説明した第１の実施の形態もしくは第２の実施の形態におけるヒートポンプ式給湯機を採用することにより、湯の使用状況に応じて、高温側の貯湯温度は６５℃〜９０℃の範囲内に設定することが可能であり、低温側の湯の沸き上げ温度は３０℃〜４０℃の範囲内に設定することが可能である。したがって、給湯部Ｋへ給湯する所望する温度の湯は３５℃〜４５℃の範囲内に設定できることとなる。  
また、給湯先の事情によっては、日中よりも夜間に多量の湯を使う場合もある。ここで用いられるヒートポンプ式給湯機は、日中に比較的高温の湯を作って貯溜しておき、夜間に比較的低温の湯を作りながら貯溜していた比較的高温の湯を取出して混合し、所望する温度の湯にして給湯する。そのため、使用条件によっては、比較的ランニングコストに与える影響の少ない運転をなすことができる。
【００３１】
そして、以上説明したいずれのヒートポンプ式給湯機においても、比較的高温の湯と比較的低温の湯との混合時に、さらに水も混合して所望する温度の湯にする機構を追加してもよい。  
また、本発明は上述した実施の形態そのままに限定されるものではなく、実施段階ではその要旨を逸脱しない範囲で構成要素を変形して具体化できるとともに、上述した実施の形態に開示されている複数の構成要素の適宜な組み合わせにより種々の発明を形成できる。
【図面の簡単な説明】
【００３２】
【図１】本発明における第１の実施の形態に係る、ヒートポンプ式給湯機の概略構成図。
【図２】本発明における第２の実施の形態に係る、ヒートポンプ式給湯機の概略構成図。
【符号の説明】
【００３３】
Ｐｃ…給水管、４…水熱交換器、Ｈ…ヒートポンプ回路、１３…第１の貯湯タンク、１４…第２の貯湯タンク、Ｋ…給湯部、１６…三方切換え弁（切換え手段）、１７…混合弁（混合手段）。 
【図１】
0004486001.tif 000002
【図２】
0004486001.tif 000003